(57)【特許請求の範囲】
【請求項１】
集塵室を有するハウジング内に、バッテリと、そのバッテリの電源で駆動し、ブロアを回転させる直流モータとを内設する一方、前記ハウジングに、吸塵ホースを接続可能な吸塵口と、外部電源出力用のコンセントとを設けて、前記バッテリの電源を外部に供給可能とすると共に、切替スイッチの操作により、前記直流モータが単独で駆動する単独運転と、前記コンセントに電気的接続された電動工具の作動と連動して前記直流モータが駆動する連動運転とに切替可能としてなる集塵機。
【請求項２】
直流モータを内蔵すると共に、請求項１に記載の集塵機のコンセントに差し込み接続可能な電源コードを備え、前記コンセントから得られる外部電源によって前記直流モータを駆動させてなる電動工具。
【請求項３】
吸塵ホースに電源コードを一体化させた請求項２に記載の電動工具。
【発明の詳細な説明】
【０００１】
【発明の属する技術分野】
本発明は、粉塵等を集塵するために用いられる集塵機と、その集塵機と併せて使用する電動工具とに関する。
【０００２】
【従来の技術】
上記集塵機は、集塵室を有するハウジング内に、モータ駆動するブロアを内設し、ハウジングには吸塵ホースが接続される吸塵口を設けてなる。一方、例えばハンマードリル等の電動工具は、ビットの先端に添着されるアタッチメント等を介して吸塵ホースと接続される。よって、電動工具と集塵機とを共に作動させると、ブロアが回転して作業時に発生した粉塵等を空気と共に吸塵ホースから吸い込む。ハウジングに吸い込まれた空気は、集塵室を通過してハウジングの排気孔から外部へ排出されるが、粉塵等は集塵室とブロアとの境に設けられるフィルタによって捕捉されるため、そのまま集塵室内に貯留することとなる。
【０００３】
【発明が解決しようとする課題】
従来の集塵機では、電源として交流電源が利用されているため、使用場所が高所や山間部等の電源事情の悪い場所であると、集塵機が使用できなかったり、長い延長コードを引き回す必要が生じたりして、使い勝手が悪くなってしまう。
又、電動工具は、直流モータを備えたＤＣ工具ではハウジングに装着したバッテリを電源としているため、重量が大きくなって作業性の低下に繋がる。又、集塵機と別個の電源を利用することで、バッテリの容量が早くなくなって使い勝手を損ねることもある。
【０００４】
そこで、請求項１に記載の発明は、電源事情にかかわらず使い勝手に優れた集塵機を提供することを目的としたもので、請求項２に記載の発明は、請求項１の集塵機と好適に併用でき、同じく使い勝手に優れた電動工具を提供することを目的としたものである。
【０００５】
【課題を解決するための手段】
上記目的を達成するために、請求項１に記載の発明は、集塵室を有するハウジング内に、バッテリと、そのバッテリの電源で駆動し、ブロアを回転させる直流モータとを内設する一方、ハウジングに、吸塵ホースを接続可能な吸塵口と、外部電源出力用のコンセントとを設けて、バッテリの電源を外部に供給可能とすると共に、切替スイッチの操作により、直流モータが単独で駆動する単独運転と、コンセントに電気的接続された電動工具の作動と連動して直流モータが駆動する連動運転とに切替可能としてなる集塵機としたものである。
上記目的を達成するために、請求項２に記載の発明は、直流モータを内蔵すると共に、請求項１に記載の集塵機のコンセントに差し込み接続可能な電源コードを備え、コンセントから得られる外部電源によって直流モータを駆動させてなる電動工具としたものである。
請求項３に記載の発明は、請求項２の目的に加えて、集塵機と併用する際の操作性や作業性を一層向上させるために、吸塵ホースに電源コードを一体化させたものである。
【０００６】
【発明の実施の形態】
以下、本発明の実施の形態を図面に基づいて説明する。
図１は、集塵機１及び電動工具としてのハンマードリル１０の斜視図、図２はその電気回路図で、まず集塵機１は、縦長のハウジング２の内部に集塵室を形成し、その集塵室の下部に、電源として、２つのバッテリ３，３を搭載して並列接続する一方、集塵室の上方には、バッテリ３，３を電源として図示しないブロアを回転駆動させる直流モータ４を収容している。又、ハウジング２には、上部に持ち運び用の把手５が形成されると共に、上部及び左右の側部に背負い用のベルト６，６が装着可能となっている。
更に、ハウジング２の一方の側部には、集塵室と連通する吸塵口７が突設され、吸塵口７の上方に、蓋体９を備えた外部電源出力用のコンセント８が設けられている。
【０００７】
一方、ハンマードリル１０は、ハウジング１１に内蔵した直流モータ１２の駆動によって、ハウジング１１先端に装着したビット１３に、回転のみ、打撃のみ、回転＋打撃の何れかの動作を付与可能としたもので、ハウジング１１に設けたスイッチレバー１４を押し込み操作することでハウジング１１内部のスイッチ１５をＯＮさせる。
そして、ハウジング１１には、ビット１３の先端際へ延びるアタッチメント１６が取り付けられ、そのアタッチメント１６と集塵機１の吸塵口７との間に、吸塵ホース１７，１８が接続されている。この吸塵ホース１７，１８の内部には、電源コード１９が挿通されて、一方のコネクタ２０を吸塵ホース１７におけるハンマードリル１０際で外部に引き出してハウジング１１に設けたコネクタ２１に、他方のプラグ２２を吸塵ホース１８における集塵機１際で外部に引き出してコンセント８に夫々差し込み可能となっている。
【０００８】
そして、集塵機１において、直流モータ４の駆動回路には、切替スイッチ２３と制御回路２４とが設けられる。切替スイッチ２３は、ハウジング２外部からの操作によって、制御回路２４を介さずにバッテリ３，３の電源を直接直流モータ４へ供給させる手動ＯＮ位置と、制御回路２４を介してバッテリ３，３の電源を直流モータ４へ供給させる連動ＯＮ位置と、何れのＯＮ位置にも接続されないＯＦＦ位置とに夫々切替可能となっている。又、制御回路２４は、電源コード１９によってハンマードリル１０と電気的接続された状態では、ハンマードリル１０側の直流モータ１２及びスイッチ１５と分流器２５とで直流モータ１２の駆動回路を形成し、切替スイッチ２３が連動ＯＮ位置に切り替えられた状態でハンマードリル１０のスイッチ１５がＯＮされると、制御回路２４はハンマードリル１０の直流モータ１２へバッテリ３，３の電源を供給すると共に、集塵機１の直流モータ４へもバッテリ３，３の電源を供給して、両者を共に駆動させるようになっている。
【０００９】
以上の如く構成された集塵機１においては、切替スイッチ２３が手動ＯＮ位置に切り替えられると、バッテリ３，３から供給される電源によって直流モータ４が単独で駆動してブロアを回転させ、吸塵口７から外気を取り込み、集塵室を通してハウジング２の外部へ排気する。集塵室には、周知のようにブロアとの境にフィルタが設けられていることから、空気と共に吸い込まれた粉塵等はフィルタに遮られ、集塵室に貯留する。溜まった粉塵等は、ハウジング２の側面に設けられた図示しない蓋部を開放して廃棄可能となる。一方、切替スイッチ２３がＯＦＦ位置に切り替えられると、直流モータ４への電源供給は遮断されて集塵機１の運転は停止する。
そして、切替スイッチ２３が連動ＯＮ位置に切り替えられると、コンセント８に電気的接続されたハンマードリル１０側のスイッチ１５がＯＮされない限り集塵機１は運転しない。即ち、前述の如く、スイッチ１５がＯＮしてハンマードリル１０が作動した場合にのみ、制御回路２４がバッテリ３，３の電源を直流モータ４へ供給して集塵機１を連動させるものとなる。尚、制御回路２４には遅延回路が設けられており、ハンマードリル１０の作動が停止した後も数秒間集塵機１の運転を続行させ、吸塵ホース１７，１８内に残る粉塵等を集塵室へ吸い込ませるようになっている。
【００１０】
このように上記形態の集塵機１によれば、ハウジング２内に、バッテリ３，３と、そのバッテリ３，３を電源として駆動する直流モータ４とを内設する一方、ハウジング２に設けた外部電源出力用のコンセント８を利用して、バッテリ３，３の電源をハンマードリル１０にも供給可能としたことで、図３に示すように、使用場所が高所や山間部等の電源事情の悪い場所であっても支障なく集塵機１を使用可能となる。特に、集塵機１に電源コードや延長コードが接続されないため、作業時の移動にも至便で使い勝手が向上する。
【００１１】
一方、上記形態のハンマードリル１０によれば、集塵機１のコンセント８に差し込み接続可能な電源コード１９を備え、コンセント８から得られるバッテリ３，３の電源によって内蔵した直流モータ１２を駆動させる構成としたことで、同じバッテリ電源を使用できて集塵機１との使用時間が略等しくなると共に、集塵機１との接続専用タイプとして別個にバッテリを装着する必要がなくなって軽量化が図られるため、ハンマードリル１０の使い勝手が向上する。
特にここでは、集塵機１とハンマードリル１０とを接続する吸塵ホース１７，１８内に電源コード１９を挿通して両者を一体化させているから、電源コード１９を別個に引き回す必要がなくなる上、よじれて邪魔になることもないため、集塵機１と併用する際の操作性や作業性を一層向上させることができる。
【００１２】
尚、上記形態では、ハンマードリル１０は集塵機１との接続専用タイプとして説明しているが、通常のバッテリ着脱タイプであっても、図４に示すように、ハンマードリルのハウジングに装着されるバッテリに代えて、ハウジングへの装着状態でスイッチ１５と電気的接続されると共に、電源コード１９のコネクタ２０と接続可能なコネクタを同様に備えたバッテリアダプタ２６を用いることで、接続専用タイプと遜色なく使用でき、同様の作用効果が得られる。又、集塵機１にＤＣ−ＤＣコンバータ回路を備えれば、定格電圧の異なるＤＣ工具が使用可能となる。更に、集塵機１にインバータ回路を備え、コンセント８から交流を出力するようにすれば、通常のＡＣ工具も同様に使用可能である。勿論電動工具はハンマードリルに限らず、マルノコやグラインダ、カッタ等も使用できる。
【００１３】
更に、集塵機のバッテリへの充電は、ケーブルによって充電器と接続することで行う他、バッテリ自体を集塵機のハウジングに対して着脱可能として、集塵機から取り外して充電器へ直接セットして充電可能としても良い。
その他、上記形態では集塵機を背負った使用状態で説明しているが、このような携帯使用に限らず、床等に置いて使用する場合でも同様の作用効果が得られるが、上記形態のように背負い用とすれば、バッテリの搭載により集塵機の重量が増えた場合でも作業者への負担が少なく、支障なく作業できるという効果が得られる。
一方、吸塵ホースと電源コードとの一体化は、吸塵ホース内部を挿通させるものに限らず、吸塵ホースの外面に電源コードを沿わせるフック等の係止手段を設けることでも実現可能である。又、電源コードの形態も、両端にコネクタとプラグを備えた上記別体の形状に限らず、集塵機への接続専用タイプとして電動工具のハウジングへ一体に接続された電源コードとする等、適宜変更して差し支えない。
【００１４】
【発明の効果】
請求項１に記載の発明によれば、集塵室を有するハウジング内に、バッテリと直流モータとを内設し、ハウジングに前記吸塵口とコンセントとを設けて、バッテリの電源を外部に供給可能としてなる集塵機としたことで、使用場所が高所や山間部等の電源事情の悪い場所であっても支障なく集塵機を使用可能となる。特に、集塵機に電源コードや延長コードが接続されないため、作業時の移動にも至便で使い勝手が向上する。
請求項２に記載の発明によれば、請求項１に記載の集塵機のコンセントに差し込み接続可能な電源コードを備え、コンセントから得られる外部電源によって内蔵した直流モータを駆動させる電動工具としたことで、同じバッテリ電源を使用できて集塵機との使用時間が略等しくなると共に、別個にバッテリを装着する必要がなくなって軽量化が図られるため、使い勝手が向上する。
請求項３に記載の発明によれば、請求項２の効果に加えて、吸塵ホースに電源コードを一体化させたことで、集塵機と併用する際の操作性や作業性を一層向上させることができる。
【図面の簡単な説明】
【図１】集塵機及びハンマードリルの斜視図である。
【図２】集塵機及びハンマードリルの電気回路図である。
【図３】集塵機及びハンマードリルの使用状態を示す説明図である。
【図４】電気回路図の変更例である。
【符号の説明】
１・・集塵機、２・・ハウジング、３・・バッテリ、４，１２・・直流モータ、７・・吸塵口、８，２１・・コンセント、１０・・ハンマードリル、１７，１８・・吸塵ホース、１９・・電源コード、２０，２１・・コネクタ、２２・・プラグ、２３・・切替スイッチ、２４・・制御回路。
【図１】
0004021625.tif 000002
【図２】
0004021625.tif 000003
【図３】
0004021625.tif 000004
【図４】
0004021625.tif 000005